(57)【特許請求の範囲】
【請求項１】
芯材を金属製パイプとし、該金属製パイプの表面を産業廃棄物利用のプラスチックを使用して、擬木の形状に被覆成形した支柱、横木及び腕木と、亜鉛メッキ等で防錆処理し溝形鋼を加工した台座及び角パイプ等を加工した根鉢押さえ材を、防錆処理したボルト・ナットで固定した鳥居形擬木支柱であって、
一対の横木を４本の支柱の上部間に樹木を挟んで互いに対向するように架け渡して該ボルト・ナットで固定して、一対の鳥居形支柱を構成し、一対の横木の中央部の樹木側に一対の腕木を、互いに対向するよう該ボルト・ナットで樹木の成長に対応した位置に調整可能に固定し、
台座に、支柱下端を該ボルト・ナットで固定し、支柱の中間部に該ボルト・ナットで、根鉢押さえ材を、根鉢の大きさに応じた位置に調整可能に固定した、樹木を地上部と地中部で支える構造の樹木の鳥居形擬木支柱。
【発明の詳細な説明】
【０００１】
【発明の属する技術分野】
本発明は、建築物の屋上や地下に構築した下水処理場や河川調節池の地上部を利用した公園や緑地に、植栽及び移植した樹木の転倒を防止する埋設式兼有の鳥居形支柱である。この支柱は樹木や根鉢の大きさに応じ確実で簡単に樹木を固定でき、樹木の成長に応じ幹を圧迫せず固定位置を調整でき、長期間の使用が可能で、強風による樹木の転倒を地中部と地上部の二箇所でがっちりと防止できる埋設式兼有の樹木の鳥居形擬木支柱に関する。
【０００２】
【従来の技術】
従来、建築物の屋上や地下構築物の地上部を利用した公園や緑地に植えられた樹木は、植え付け後の根張りが弱いので強風による倒木や傾きを防止するため、ワイヤーやチェーン構造等の樹木地下支柱が採用されていた。
【０００３】
【発明が解決しようとする課題】
上記のワイヤーやチェーン等は、幹根元部に食い込み樹木の成長を阻害する欠点と、地中部だけで樹木全体を支えるためモーメントが地下支柱に集中し、根元の圧迫と根の損傷が病気の一因であった。
【０００４】
ところで近年、緑化工事においても地球環境問題から、建設発生材の抑制とリサイクル製品の活用が推進されている。特に産廃プラスチック等を再生し有効活用した製品等を建設資材に使用する「グーン購入」の普及が今後の課題の一つである。
【０００５】
このような問題を解決することを目的とした本発明は、屋上等の樹木を地中部と地上部の二箇所で根鉢と幹を支え、地中部と地上部が一体でがっちりと樹木の転倒を防止できる構造で、樹木の成長に対応し支柱の腕木位置の調整が可能で、地中部の根鉢押さえ材も根鉢の大きさに応じ設置できる構造で、耐久性・景観性に優れ、トータルコストが安く、設置・撤去が簡単で再利用も可能な、産廃プラスチック利用のリサイクル製品からなる埋設式兼有の鳥居形擬木支柱を提供しようとするものである。
【０００６】
【課題を解決するための手段】
上記課題を解決するために請求項１の発明は、本体部の材料は芯材が金属製パイプで、表面を産業廃棄物利用のプラスチックを使用し、擬木の形状で成形被覆した支柱、横木、腕木等の鳥居形擬木支柱と地中部に防錆処理し形鋼を加工した台座と根鉢押さえ材からなり、樹木を地上部の擬木支柱と地中部の根鉢押さえ材を兼有した鳥居形擬木支柱で、樹木の幹と根鉢を一体に支える構造ある。そして、樹木の成長に対応し腕木の固定位置を調整し、根鉢押さえ材も根鉢の大きさに応じ設置できる構造で、防錆処理したボルト・ナットで固定する構造を採用したものである。
【０００７】
上記の如く構造からなるこの発明は、強風による樹木の転倒を地上部と地中部が兼有し防止する効果が高い構造であり、樹皮や根の損傷が防止でき、樹木の成長に応じて簡単に腕木を調整できることにより、作業手間が少なく、維持管理のトータルコストを縮減できる。また、表面を擬木の形で成形被覆するため樹木との調和が良く景観性が優れている。さらに、産廃プラスチックを再生し有効活用したリサイクル製品であり、循環型社会をめざす再生資源利用促進・建設廃材リサイクルの促進に非常に有効である。
【０００８】
【発明の実施の形態】
以下、本発明係る実施形態の詳細を図面にもとづき説明する。図１に示すように、図中８は埋設式兼有の鳥居形擬木支柱であり、この鳥居形擬木支柱は屋上等に植えられた樹木６の幹と根鉢７を挟んで設置し、樹木６を支えて強風による転倒を防止する。
【０００９】
図１〜図３に示すように、図中１は支柱であり、この支柱１の材料は芯材が金属製パイプで表面を産廃利用のプラスチックで成形被覆し、擬擬木形状で円形の丸太状をしている。この擬木支柱１は屋上等に植えられた樹木６の横側に、この樹木６を挟んで互いに対向するように設置する。
【００１０】
これら４本の支柱１を、亜鉛メッキ等で防錆処理し溝形鋼を加工した台座２の両側にボルト・ナット５で固定する。この台座２の両側のボルト孔９は楕円形状な為、根鉢７の大きさに応じた位置に支柱を固定出来る。
【００１１】
図１（ａ）に示すように、図中３は横木であり、この横木３は支柱１の上部の一対のボルト孔の位置に、樹木６を挟んで互いに対向するように架け渡しボルト・ナット５で固定する。この横木３の材料も擬木支柱１と同様であり、形状は略四角形の柱状で両端部に支柱１に固定する一対の楕円円形状の孔９と、両側部の上下にも腕木４を固定する一対の楕円形状の孔９を有することで根鉢と幹の大きさに応じた位置に支柱や腕木を固定出来る。
【００１２】
このように、支柱１と横木３で連結された鳥居形支柱の横木３の中央部の樹木６側に腕木４を、樹木６の太さに応じて互いに対向するようボルト・ナット５で固定する。この腕木４の材料も擬木支柱１と同様で、形状略四角形の柱状で、両端部の上下に一対の楕円形状の孔９を有する。
【００１３】
図１（ａ）に示すように、図中１０は根鉢押さえ材（ａ）でありこの押さえ材１０は、支柱１の中間部の一対の楕円形状の孔９の位置で、根鉢７を挟んで互いに対向するように根鉢の大きさに応じた位置にボルト・ナット５で固定する。この根鉢押さえ材（ａ）１０は両端部の左右と、両側部の上下に一対の楕円形状の孔９を有し、両側の上下の楕円形状の孔９にもう一対の押さえ材１１をボルト・ナット５で固定し樹木６の根鉢を押さえる。
【００１４】
図２（ａ）（ｂ）は支柱１と台座２を、根鉢７の大きさに応じた位置でボルト・ナット５で固定出来る固定箇所部の拡大正面図と拡大側面図である。図に示すように、台座２の両側に一対の楕円形状の孔９を有すことで根鉢７の大きさに応じた位置に支柱１と台座２を固定出来る。
【００１５】
図３（ａ）（ｂ）は支柱１と根鉢押さえ材（ａ）１０を、根鉢７の大きさに応じた位置にボルト・ナット５で固定出来る固定箇所部の拡大正面図と拡大側面図である。図に示すように、支柱１の中間部の両側に一対の楕円状の孔９を有すことで、根鉢７の大きさに応じた位置に、支柱１と根鉢押さえ材（ａ）１０を固定出来る。
【００１６】
図１（ａ）に示すように図中１１は根鉢押さえ材（ｂ）であり、この押さえ材（ｂ）１１は押さえ材（ａ）を両側の上下に一対の楕円形状の孔９の位置に、根鉢の大きさに応じて鉢７を挟んで互いに対向するようにボルト・ナット５で固定し、押さえ材（ａ）と共に樹木６の根鉢を押さえる。
【００１７】
図１（ａ）に示すように、図中４は腕木であり、この腕木４は横木３の両側の上下一対の楕円形状の孔９の位置に、幹の太さに応じて樹木６を支えて互いに対向するようにボルト・ナット５で固定し、横木３と共に樹木６を支える。さらに、樹木の幹の成長に応じて簡単に腕木４を調整して、幹を圧迫しない構造である。
【００１８】
上記の如く構造からなるこの発明は、樹木を地中部と地上部が一体に兼有して根鉢と幹をがっちり支え、根鉢や幹の大きさと成長に応じて支柱、腕木、根鉢押さえ材等を調整することが可能で、強風による樹木の転倒倒を防止すると共に根と樹皮や幹の損傷が防止できる。また、組立・撤去が簡単で再利用が可能である。
【００１９】
【発明の効果】
以上説明した通り本発明によれば、埋設式兼有の鳥居形擬木支柱を使用することで、建築物の屋上や地下構築物の地上部利用の公園や緑地の樹木を、地中部と地上部で兼有して根鉢と幹を支え、強風による樹木の転倒をがっちりと防止する。また、風や樹木の成長による圧迫で樹皮や幹、根の損傷による病気の防止に非常に有効であり、トータルコストも安く、景観性・耐久性に優れた構造である。さらに、支柱等は産廃プラスチックを再生し有効活用したリサイクル製品であり、循環型社会をめざす、再生資源利用促進・建設廃材リサイクルの促進に非常に有効である。
【図面の簡単な説明】
【図１】（ａ）この発明係る実施形態の埋設式兼有の鳥居形擬木支柱の斜視図（ｂ）同イメージ図
【図２】（ａ）同支柱と台座固定部の拡大正面図
（ｂ）同拡大側面図
【図３】（ａ）同支柱と根鉢押さえ材固定部の拡大正面図
（ｂ）同拡大側面図
【符号の説明】
１    支柱（擬木）
２    台座
３    横木（擬体）
４    腕木（擬木）
５    ボルト・ナット
６    樹木
７    根鉢
８    埋設式兼有の鳥居形擬木支柱
９    楕円形状の孔
１０  根鉢押さえ材（ａ）
１１  根鉢押さえ材（ｂ）
【図１】
0003622179.tif 000002
【図２】
0003622179.tif 000003
【図３】
0003622179.tif 000004